(57)【要約】【課題】  １つのチューナによって受信したテレビ信号のうち、あるチャネルを表示しつつ別のチャネルの録画を行うテレビ受像録画装置を提供する。【解決手段】  本発明のテレビ受像録画装置は、所定のチャネルに受信チャネルを同調するチューナ２と、チューナ２が受信チャネルを同調させるチャネルを、複数の異なるチャネル間で切り替えるＣＰＵ部９と、ＣＰＵ部９が切り替えた複数のチャネルのそれぞれを介して受信される画像データを、フレームメモリ５−１・…・５−Ｎおよびフレームメモリ５−２・…・５−Ｎのいずれかに書き込むフレームメモリ書き込みアドレス切替器４と、フレームメモリ５−１・…・５−Ｎに記憶された画像データを表示する表示部７と、フレームメモリ５−２・…・５−Ｎに記憶された画像データを録画する録画部８とを備えているので、１つのチューナによって、あるチャネルを表示中に別のチャネルを録画することができる。【選択図】  図１
2006352695.tif 000002
【特許請求の範囲】
【請求項１】
所定のチャネルに受信チャネルを同調するチューナと、
上記チューナが受信チャネルを同調させるチャネルを、複数の異なるチャネル間で切り替える受信チャネル切替手段と、
上記受信チャネル切替手段が切り替えた複数のチャネルのそれぞれを介して受信される画像データを、表示用記憶手段および録画用記憶手段のいずれかに書き込む画像データ書込手段と、
上記表示用記憶手段に記憶された画像データを表示する表示手段と、
上記録画用記憶手段に記憶された画像データを録画する録画手段とを備えるテレビ受像録画装置。
【請求項２】
テレビ受像録画装置に設けられたチューナにより、所定のチャネルに受信チャネルを同調する第１ステップと、
上記テレビ受像録画装置に設けられた受信チャネル切替手段により、上記チューナが受信チャネルを同調させるチャネルを、複数の異なるチャネル間で切り替える第２ステップと、
上記テレビ受像録画装置に設けられた画像データ書込手段により、上記第２ステップが切り替えた複数のチャネルのそれぞれを介して受信される画像データを、上記テレビ受像録画装置に設けられた表示用記憶手段および録画用記憶手段のいずれかに書き込む第３ステップと、
上記テレビ受像録画装置に設けられた表示手段により、上記表示用記憶手段に記憶された画像データを表示する第４ステップと、
上記テレビ受像録画装置に設けられた録画手段により、上記録画用記憶手段に記憶された画像データを録画する第５ステップとを備えるテレビ受像録画方法。
【発明の詳細な説明】
【技術分野】
【０００１】
本発明は、テレビ受像録画装置およびテレビ受像録画方法に関するものである。
【背景技術】
【０００２】
近年、携帯電話等の情報端末装置の中にはテレビチューナを搭載したものもあり、受信画像の表示および録画を行う機能を有している。
【０００３】
従来の情報端末装置およびテレビ録画装置は、受信用のチューナを１個しか搭載していないため、録画用の録画チャネルおよび表示用の表示チャネルは、同一のチャネルに限られていた。
【０００４】
また、複数チャネルの録画を行う装置も実用化されているが、複数チャネルの録画を行うべく、それぞれのチャネルの受信を行うための複数個のチューナを有していた。
【０００５】
また、例えば、特許文献１によれば、複数のチャネルを順次切り替えて、複数チャネルの画面をマルチ表示することができるテレビ受信機が開示されている。
【０００６】
さらに、特許文献２によれば、小数の、例えばｍ個のチューナを用いて、あるチャネルに同調した後、１フィールド又は１フレーム受信し、その後、別のチャネルに高速に同調する動作を１チューナ当たりｎ／ｍ回行い、これを繰り返すことにより、ｍ個のチューナの出力よりｎチャネルの情報を得ることができ、１画面にｎチャネルの動画を同時に表示することができるテレビ受像機が開示されている。
【０００７】
これらの発明は、いずれも複数のチャネルを現在の画面に常時表示できるようにすることを目的としていた。
【特許文献１】特開平２−１９８２８３（１９９０年８月６日公開）
【特許文献２】特開平２−９７１８１（１９９０年４月９日公開）
【発明の開示】
【発明が解決しようとする課題】
【０００８】
ところが、上記従来の構成では、テレビ受信機もしくは録画装置では１つのチューナによって、あるチャネルを録画しつつ別のチャネルの表示を行うことはできないという問題点がある。
【０００９】
本発明は、上記の問題点に鑑みてなされたものであり、その目的は、１つのチューナによって受信したテレビ信号のうち、あるチャネルを表示しつつ別のチャネルの録画を行うことのできるテレビ受像録画装置を提供することである。
【課題を解決するための手段】
【００１０】
本発明に係るテレビ受像録画装置は、所定のチャネルに受信チャネルを同調するチューナと、上記チューナが受信チャネルを同調させるチャネルを、複数の異なるチャネル間で切り替える受信チャネル切替手段と、上記受信チャネル切替手段が切り替えた複数のチャネルのそれぞれを介して受信される画像データを、表示用記憶手段および録画用記憶手段のいずれかに書き込む画像データ書込手段と、上記表示用記憶手段に記憶された画像データを表示する表示手段と、上記録画用記憶手段に記憶された画像データを録画する録画手段とを備えることを特徴としている。
【００１１】
上記の構成によれば、所定のチャネルに受信チャネルを同調するチューナと、上記チューナが受信チャネルを同調させるチャネルを、複数の異なるチャネル間で切り替える受信チャネル切替手段と、上記受信チャネル切替手段が切り替えた複数のチャネルのそれぞれを介して受信される画像データを、表示用記憶手段および録画用記憶手段のいずれかに書き込む画像データ書込手段と、上記表示用記憶手段に記憶された画像データを表示する表示手段と、上記録画用記憶手段に記憶された画像データを録画する録画手段とを備えている。
【００１２】
これにより、受信チャネルを同調させるチャネルを、受信チャネル切替手段により、複数の異なるチャネル間で切り替えることができ、切り替えた複数のチャネルの受信された画像データは、画像データ書込手段により、表示用記憶手段および録画用記憶手段のいずれかに書き込まれる。そして、表示用記憶手段または録画用記憶手段に書き込まれた画像データは、それぞれ表示手段または録画手段により、表示または録画処理される。このように、複数の異なるチャネルを順次切り替えて受信チャネルを同調し、複数の異なるチャネルの録画と表示を順次行うことにより、あるチャネルを表示中に、別のチャネルを録画することができる。また、受信チャネルを同調させるチャネルを、複数の異なるチャネル間で切り替える受信チャネル切り替え手段を備えているので、複数個のチューナを備える必要がなく、１つのチューナで複数の異なるチャネルに受信チャネルを同調させることができる。
【００１３】
本発明に係るテレビ受像録画方法は、テレビ受像録画装置に設けられたチューナにより、所定のチャネルに受信チャネルを同調する第１ステップと、上記テレビ受像録画装置に設けられた受信チャネル切替手段により、上記チューナが受信チャネルを同調させるチャネルを、複数の異なるチャネル間で切り替える第２ステップと、上記テレビ受像録画装置に設けられた画像データ書込手段により、上記第２ステップが切り替えた複数のチャネルのそれぞれを介して受信される画像データを、上記テレビ受像録画装置に設けられた表示用記憶手段および録画用記憶手段のいずれかに書き込む第３ステップと、上記テレビ受像録画装置に設けられた表示手段により、上記表示用記憶手段に記憶された画像データを表示する第４ステップと、上記テレビ受像録画装置に設けられた録画手段により、上記録画用記憶手段に記憶された画像データを録画する第５ステップとを備えることを特徴としている。
【００１４】
上記構成のテレビ受像録画方法によれば、第１ステップから第５ステップまでにより、本発明のテレビ受像録画装置と同様の作用が実現されているので、本発明のテレビ受像録画装置と同様の作用効果を得ることができる。
【発明の効果】
【００１５】
本発明に係るテレビ受像録画装置は、所定のチャネルに受信チャネルを同調するチューナと、上記チューナが受信チャネルを同調させるチャネルを、複数の異なるチャネル間で切り替える受信チャネル切替手段と、上記受信チャネル切替手段が切り替えた複数のチャネルのそれぞれを介して受信される画像データを、表示用記憶手段および録画用記憶手段のいずれかに書き込む画像データ書込手段と、上記表示用記憶手段に記憶された画像データを表示する表示手段と、上記録画用記憶手段に記憶された画像データを録画する録画手段とを備えた構成である。それゆえ、複数の異なるチャネルを順次切り替えて受信チャネルを同調し、複数の異なるチャネルの録画と表示を順次行うことにより、あるチャネルを表示中に、別のチャネルを録画することができる。また、受信チャネルを同調させるチャネルを、複数の異なるチャネル間で切り替える受信チャネル切り替え手段を備えているので、複数個のチューナを備える必要がなく、１つのチューナで複数の異なるチャネルに受信チャネルを同調させることができる。
【００１６】
また、本発明に係るテレビ受像録画方法は、テレビ受像録画装置に設けられたチューナにより、所定のチャネルに受信チャネルを同調する第１ステップと、上記テレビ受像録画装置に設けられた受信チャネル切替手段により、上記チューナが受信チャネルを同調させるチャネルを、複数の異なるチャネル間で切り替える第２ステップと、上記テレビ受像録画装置に設けられた画像データ書込手段により、上記第２ステップが切り替えた複数のチャネルのそれぞれを介して受信される画像データを、上記テレビ受像録画装置に設けられた表示用記憶手段および録画用記憶手段のいずれかに書き込む第３ステップと、上記テレビ受像録画装置に設けられた表示手段により、上記表示用記憶手段に記憶された画像データを表示する第４ステップと、上記テレビ受像録画装置に設けられた録画手段により、上記録画用記憶手段に記憶された画像データを録画する第５ステップとを備えた構成である。それゆえ、上記構成のテレビ受像録画方法によれば、第１ステップから第５ステップまでにより、本発明のテレビ受像録画装置と同様の作用が実現されているので、本発明のテレビ受像録画装置と同様の作用効果を得ることができる。
【発明を実施するための最良の形態】
【００１７】
本発明の一実施形態について図１ないし図３に基づいて説明すると以下の通りである。
【００１８】
まず、本発明の実施例を示すブロック図１を用いて、テレビ受像録画装置の構成について説明する。
【００１９】
テレビ受像録画装置１０は、アンテナ１と、チューナ２と、ＡＤＣ（Analog-to-Digital Conversion）部３と、フレームメモリ書き込みアドレス切替器（受信チャネル書込手段）４と、メモリ部（表示用記憶手段、録画用記憶手段）５と、フレームメモリ読み出しアドレス切替器６と、表示部（表示手段）７と、録画部（録画手段）８と、ＣＰＵ部（受信チャネル切替手段）９とを備えている。
【００２０】
アンテナ１は、無線による通信環境で、電波を受信するための装置である。
【００２１】
チューナ２は、テレビ信号（画像データ）を受信処理するものである。
【００２２】
ＡＤＣ部３は、チューナ２にて受信処理されたアナログ信号をデジタル信号に変換する変換器である。
【００２３】
フレームメモリ書き込みアドレス切替器４は、メモリ部５に対して、ＡＤＣ部３によりデジタル信号に変換された画像データの転送処理および書き込み処理を行うものである。また、フレームメモリ書き込みアドレス切替器４は、受信された画像データが書き込まれるメモリ部５内のフレームメモリのアドレスを切り替える処理を行う。
【００２４】
メモリ部５は、受信された画像データを格納するための複数のフレームメモリ５−１（表示用記憶手段）・５−２（録画用記憶手段）・５−３（表示用記憶手段）・５−４（録画用記憶手段）・…・５−Ｎで構成されている。フレームメモリ５−１・５−２・…・５−Ｎは、ＲＡＭ等の半導体メモリによって構成されているが、これに限定されるものではなく、画像データを一次的に記憶できるものであれば良く、他には、例えば、ＩＣなどを用いることができる。また、フレームメモリの数量は、特に限定されるものではない。なお、説明の便宜上、所定のフレームメモリをフレームメモリ５−ｎと表す。このｎは、フレームメモリの番号を表すもので、１からＮ（最大値）までの整数を表す。また、本実施例では、上記ｎが奇数番号であるフレームメモリを表示用記憶手段とし、上記ｎが偶数番号であるフレームメモリを録画用記憶手段と想定する。
【００２５】
フレームメモリ読み出しアドレス切替器６は、所定のフレームメモリから、受信された画像データの読み出し処理を行い、読み出された画像データを表示部７および録画部８へ転送する処理を行うものである。また、フレームメモリ読み出しアドレス切替器６は、フレームメモリ５−ｎの読み出しアドレスを切り替える処理を行う。
【００２６】
表示部７は、フレームメモリ読み出しアドレス切替器６から転送される画像データを表示するものである。なお、表示方法は、公知の方法により表示されるものである。また、当該表示部７は、１つ、あるいは、２つ以上のチャネルを表示することができるものである。
【００２７】
録画部８は、フレームメモリ読み出しアドレス切替器６から転送される画像データを録画するものである。なお、録画方法は、公知の方法により録画されるものである。また、当該録画部８は、１つ、あるいは、２つ以上のチャネルを録画することができるものである。
【００２８】
ＣＰＵ部９は、各種制御を行うものであり、例えば、受信チャネルを順次切り替える処理を行う。また、フレームメモリ書き込みアドレス切替器４およびフレームメモリ読み出しアドレス切替器６に対して、所定のフレームメモリ５−ｎに対応するアドレスの設定および切り替え命令を付与する。
【００２９】
なお、フレームメモリのアドレスとは、フレームメモリ５−１・５−２・…・５−Ｎのそれぞれに対応して付される番地である。このアドレスの制御方法としては、例えば、クロックの入力数でアドレスがカウントされ、０から始まり、１，２，３と順次進んでいくものである。
【００３０】
次に本発明の動作を図２のフローチャートおよび図３の処理イメージ図を用いて説明する。
【００３１】
ここで、説明の便宜上、受信すべきチャネルを、チャネルｍとし、当該ｍをｍ＝１およびｍ＝２の２チャネルと仮定する。そして、それぞれが表示用チャネルあるいは録画用チャネルのいずれかであるとする。なお、実際のチャネルの数量は２つ以上あり、上記ｍとは２以上の整数を表すものである。
【００３２】
また、チャネルｍは既知のチャネルであり、受信動作により確実に同調するものとする。
【００３３】
まず、ユーザによりチャネルの選択が行われる（ステップ１、以下単にステップをＳと記載する）。ここでは、ユーザが２つのチャネルを選択したとする。
【００３４】
ユーザが２つのチャネルを選択すると、ＣＰＵ部９によって、一方のチャネルｍが受信チャネルに設定される（Ｓ２）。なお、上記２つのチャネル、つまり、表示用のチャネルおよび録画用のチャネルの内どちらが先に受信チャネルに設定されても構わない。
【００３５】
また、ＣＰＵ部９が、フレームメモリ５−ｎに対応するアドレスを受信された画像データの書き込みアドレスとするよう、フレームメモリ書き込みアドレス切替器４に対してアドレスの切替命令を付与する。そして、フレームメモリ書き込みアドレス切替器４は、フレームメモリ５−ｎに対応する書き込みアドレスに切り替える（Ｓ２）。ＣＰＵ部９によって、チャネルｍの受信された画像データが書き込まれるメモリ部５内のフレームメモリ５−ｎに対応するアドレスが、フレームメモリ書き込みアドレス切替器４に対して設定される（Ｓ２）。
【００３６】
次に、チューナ２により、チャネルｍの受信設定が行われ受信処理が開始される（Ｓ３）。
【００３７】
そして、受信されたチャネルｍの信号（画像データ）の同調の確認がＣＰＵ部９によって行われる（Ｓ４）。
【００３８】
ここで、受信された信号の同調が確認された場合（Ｓ４にてＹＥＳ）、チューナ２からＡＤＣ部３に信号が転送される。そして、ＡＤＣ部３によって、受信された信号がアナログ信号からデジタル信号に変換される（Ｓ５）。また、信号の同調を確認できない場合（Ｓ４にてＮＯ）は、Ｓ４に戻り、再度、同調の確認が行われる。
【００３９】
次に、ＡＤＣ部３によってデジタル信号に変換された画像データは、フレームメモリ書き込みアドレス切替器４によって、フレームメモリ５−ｎに転送される。
【００４０】
そして、転送された画像データが、フレームメモリ５−ｎに書き込まれたかどうかの確認をＣＰＵ部９が行う（Ｓ６）。
【００４１】
ここで、フレームメモリ５−ｎへの書き込み完了が確認された場合（Ｓ６にてＹＥＳ）、書き込まれた画像データが、録画用の画像データであるかどうかの確認が行われる（Ｓ７）。なお、書き込まれた画像データが表示用の画像データであるか、または録画用の画像データであるかの区別は、例えば、ユーザによりチャネル選択された際のフラグの違いを、ＣＰＵ部９が判別することによって行う。
【００４２】
次に、フレームメモリ５−ｎに書き込まれた画像データが、録画用の画像データであると判別された場合（Ｓ７にてＹＥＳ）、ＣＰＵ部９が、フレームメモリ５−ｎに対応するアドレスを受信された画像データの読み出しアドレスとするよう、フレームメモリ読み出しアドレス切替器６に対してアドレスの切替命令を付与する。そして、フレームメモリ読み出しアドレス切替器６は、フレームメモリ５−ｎに対応する読み出しアドレスに切り替える。そして、フレームメモリ読み出しアドレス切替器６は、設定された読み出しアドレスに対応するフレームメモリ５−ｎに格納された画像データを読み出し、録画部８へ画像データを転送する（Ｓ８）。
【００４３】
そして、録画部８は、転送された画像データを公知の方法を用いて、録画処理を行う（Ｓ９）。
【００４４】
また、Ｓ７でＮＯと判別、すなわち、書き込まれた画像データが、録画用の画像データでないと判別された場合、Ｓ８と同様に、ＣＰＵ部９が、フレームメモリ５−ｎに対応するアドレスを受信された画像データの読み出しアドレスとするよう、フレームメモリ読み出しアドレス切替器６に対してアドレスの切替命令を付与する。そして、フレームメモリ読み出しアドレス切替器６は、フレームメモリ５−ｎに対応する読み出しアドレスに切り替える。そして、フレームメモリ読み出しアドレス切替器６は、設定されたアドレスに対応するフレームメモリ５−ｎに格納された画像データを読み出し、表示部７へ画像データを転送する（Ｓ１０）。
【００４５】
そして、表示部７は、転送された画像データを公知の方法を用いて、表示処理を行う（Ｓ１１）。
【００４６】
ところで、Ｓ６にて、フレームメモリ５−ｎへの画像データの書き込み完了が確認された後、別のチャネルを受信および受信された画像データを格納するために、フレームメモリ５−ｎの切り替えとチャネルｍの切り替えが行われる。このフレームメモリ５−ｎとチャネルｍとの切り替えの手順について、以下に説明する。
【００４７】
まず、Ｓ６で画像データの書き込み完了が確認された後、画像データを格納するフレームメモリ５−ｎを切り替えるために、ＣＰＵ部９において、Ｓ２にて設定されたフレームメモリ５の番号ｎの確認が行われる（Ｓ１２）。具体的には、Ｓ２にて設定されたフレームメモリ５の番号ｎが、メモリ部５に備えられているフレームメモリ５の数量（最大値）Ｎよりも小さいかどうかをＣＰＵ部９によって判別する。
【００４８】
そして、Ｓ２にて設定されたフレームメモリ５の番号ｎが、フレームメモリ５の数量Ｎよりも小さいと判別された場合（Ｓ１２にてＹＥＳ）には、ＣＰＵ部９によって、フレームメモリ５の番号ｎが、ｎ＝ｎ＋１に切り替えられる。また、Ｓ２で設定されたフレームメモリ５−ｎに対応した書き込みアドレスが、フレームメモリ５−ｎ＋１に対応する書き込みアドレスに変更されるように、ＣＰＵ部９がフレームメモリ書き込みアドレス切替器４に対してアドレスの切り替え命令を付与する。そして、フレームメモリ書き込みアドレス切替器４は、フレームメモリ５−ｎ＋１に対応する書き込みアドレスに切り替える（Ｓ１３）。
【００４９】
そして、Ｓ２にて設定されたフレームメモリ５の番号ｎが、フレームメモリ５の数量Ｎよりも小さくないと判別された場合（Ｓ１２にてＮＯ）には、ＣＰＵ部９によって、フレームメモリ５の番号ｎが、ｎ＝１に戻される。また、Ｓ２で設定されたフレームメモリ５−ｎに対応した書き込みアドレスが、フレームメモリ５−１に対応する書き込みアドレスに変更されるように、ＣＰＵ部９がフレームメモリ書き込みアドレス切替器４に対してアドレスの切り替え命令を付与する。そして、フレームメモリ書き込みアドレス切替器４は、フレームメモリ５−１に対応する書き込みアドレスに切り替える（Ｓ１４）。
【００５０】
ここで、例えば、Ｓ２にて設定されたフレームメモリ５の番号ｎが、１に設定されている場合、Ｓ１３にて、フレームメモリ５−ｎの番号は、ｎ＝２に切り替えられる。そして、フレームメモリ書き込みアドレス切替器４は、フレームメモリ５−２に対応する書き込みアドレスに切り替える。このように、フレームメモリ５−ｎの切り替えが、順次行われる構成である。
【００５１】
次に、Ｓ２にて設定されたチャネルの確認が行われる（Ｓ１５）。ここでは、受信チャネルｍが、ｍ＝１かどうかの確認が行われる。そして、受信チャネルの確認が行われた後、ＣＰＵ部９によって、次に受信するチャネルの切り替えが行われる。具体的には、受信チャネルがｍ＝１の場合（Ｓ１５にてＹＥＳ）は、受信チャネルが、ｍ＝２に切り替えられる（Ｓ１６）。また、受信チャネルがｍ＝１でない場合（Ｓ１５にてＮＯ）は、受信チャネルがｍ＝１に切り替えられる（Ｓ１７）。このように、一方のチャネルを受信した後、他方のチャネルへ切り替える処理が、繰り返し行われる構成である。
【００５２】
そして、フレームメモリ５の番号ｎおよびチャネルｍが切り替えられた後、Ｓ３に戻り、チューナ２により、変更されたチャネルｍの受信設定が行われ受信処理が開始される。このように受信チャネルを順次切り替えることによって、受信処理が繰り返し行われる。
【００５３】
次に、本発明の処理イメージについて、図２のフローチャートを参照しつつ、図３を用いて説明する。
【００５４】
ここでは、ユーザが表示用チャネルとして、チャネル１（ＣＨ１）を選択し、また、録画用チャネルとして、チャネル２（ＣＨ２）を選択した構成について説明する。
【００５５】
まず、ユーザにより表示用チャネルとして選択されたチャネル１の受信処理（図２のＳ２参照）が開始され、１フレーム（ｆｒ１）分の画像データが受信される。次に、受信された画像データは、フレームメモリ５−１に書き込まれる（図２のＳ６参照）。そして、フレームメモリ５−１に書き込まれた画像データは、録画用の画像データか否かの判別により録画用の画像データでないと判別された後（図２のＳ７参照）、表示部７に転送され表示される（図２のＳ１１参照）。なお、本実施例では、受信する画像データを１フレーム分としているが、これに限定されるものではなく、例えば、１フィールド分、あるいは、２フレーム分で受信しても良い。
【００５６】
ここで、フレームメモリ５−１に、チャネル１の画像データが書き込まれたことが確認された場合（図２のＳ６参照）、画像データを書き込むためのフレームメモリ５−ｎが、フレームメモリ５−２に切り替えられる（図２のＳ１３参照）。また、受信チャネルがチャネル２に切り替えられる（図２のＳ１６参照）。
【００５７】
そして、切り替えられた録画用のチャネル２の受信処理が開始され（図２のＳ３参照）、１フレーム（ｆｒ３）分の画像データが受信される。次に、受信された画像データは、切り替えられたフレームメモリ５−２に書き込まれる（図２のＳ６参照）。そして、フレームメモリ５−２に書き込まれた画像データが、録画用の画像データか否かの判別により録画用の画像データであると判別された後（図２のＳ７参照）、録画部８に転送され録画される（図２のＳ９参照）。
【００５８】
以上のように、表示用チャネル１の受信された画像データが、所定のフレームメモリ５−１に記憶され、フレームメモリ５−１に対応したアドレスを介して、フレームメモリ５−１から表示部に転送され表示される。ここで、表示用チャネル１の画像データが、所定のフレームメモリ５−１に記憶された時点で、録画用チャネル２の画像データを受信するために、チャネルの切り替えが行われ、また、録画用チャネル２の画像データを記憶するためのフレームメモリの切り替えが行われる。そして、録画用チャネル２の受信処理が開始され、受信された画像データが、切り替えられたフレームメモリ５−２に記憶される。フレームメモリ５−２に記憶された画像データは、フレームメモリ５−２に対応したアドレスを介して、フレームメモリ５−２から録画部に転送され録画される。
【００５９】
このようにして、表示用チャネル１および録画用チャネル２を順次切り替えて受信処理を繰り返す。そして、表示部７および録画部８への画像データ転送が、交互に繰り返されることによって、チャネル１を表示しながら、別のチャネル２を録画することができる。
【００６０】
以上の構成によれば、１つのチューナを用いて、所定のチャネルを受信した後、別のチャネルに受信チャネルを同調する動作を複数チャネルにおいて順次繰り返し行い、受信した画像データをメモリ部５に転送し、メモリ部５から画像データを選択的に表示もしくは録画することができる。
【００６１】
つまり、１つのチューナを用いて、受信チャネルを同調させるチャネルを、複数の異なるチャネル間で順次切り替えることによって、複数チャネルの録画と表示を順次行うことができる。したがって、あるチャネルを表示中に、別のチャネルを録画することができる。
【００６２】
さらに、１つのチューナによって、あるチャネルを表示中に、別のチャネルを録画することができるため、複数個のチューナを搭載する場合と比較して、コストを抑えることができ、装置の小型化を実現することもできる。
【００６３】
ところで、本実施例では、２つのチャネルの場合を例にとったが、これに限定されるものではなく、３つ以上のチャネルにおいても同様の処理によって、複数チャネルの録画および表示が可能である。
【００６４】
さらに、１つのチャネルを録画および表示させる構成とすることもできる。この場合には、ユーザがチャネルを設定する際に、表示用チャネルおよび録画用チャネルとも同一のチャネルを選択すればよい。
【００６５】
なお、本発明は、所定のチャネルに受信チャネルを同調し、１フィールドの画像データを受信した後、別のチャネルに受信チャネル同調する動作を複数チャネルにおいて順次繰り返す手段と、複数フレーム分のフレームメモリと、前記受信した画像データを所定の番地のフレームメモリに転送する手段と、画像データを所定のフレームメモリから選択的に表示する手段と、画像データを所定のフレームメモリから選択的に録画する手段を備える構成であってもよい。
【００６６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００６７】
テレビチューナを搭載し、受信した画像を録画する機能と表示する機能とを有する情報端末装置およびＰＣにも適用できる。
【図面の簡単な説明】
【００６８】
【図１】本発明の実施形態を示すものであり、テレビ受像録画装置の要部構成を示すブロック図である。
【図２】本発明のテレビ受像録画装置の動作を示すフローチャート図である。
【図３】本発明のテレビ受像録画装置の処理を示した処理イメージ図である。
【符号の説明】
【００６９】
２    チューナ
４    フレームメモリ書き込みアドレス切替器（受信チャネル書込手段）
５    メモリ部（表示用記憶手段、録画用記憶手段）
５−１    フレームメモリ（表示用記憶手段）
５−２    フレームメモリ（録画用記憶手段）
５−３    フレームメモリ（表示用記憶手段）
５−４    フレームメモリ（録画用記憶手段）
７    表示部（表示手段）
８    録画部（録画手段）
９    ＣＰＵ部（受信チャネル切替手段）
【図１】
2006352695.tif 000003
【図２】
2006352695.tif 000004
【図３】
2006352695.tif 000005